(57)【要約】結婚式場で撮影した写真や参列者名を披露宴会場で放映するための結婚式情報配信システムを提供する。結婚式の模様を撮影するカメラと、撮影した画像を基に編集・加工したビデオ映像を結婚式場で放映するためのビデオ映像投影装置と、撮影した画像データを編集・配信センターへ送信して披露宴の参列者名、イラストやアニメーション等を付加して編集・加工した動画データを作成し、再び結婚式場へ転送して記録媒体にビデオ映像を書込み、ビデオ映像投影装置によって再生し放映するためのこれらの情報を送受信する結婚式場内のコンピュータ端末と、撮影された画像データを編集・加工する通信回線に接続された編集・配信センターとから構成される。【特許請求の範囲】
【請求項１】
結婚式場内で撮影した画像データを通信ネットワークに接続されたセンター側で所定時間内に編集・加工してリアルタイムに所定の配信先へ送信する結婚式情報配信システムであって、
結婚式場内に配置され結婚式及び／又は披露宴の模様を撮影する１台以上の撮像カメラと、
結婚式場内に設置されたビデオ映像投影装置及びコンピュータ端末と、
前記コンピュータ端末と通信ネットワークを介して接続し結婚式場で撮影された画像データを受信して編集・加工し配信する編集・配信センターと、を備え、
前記コンピュータ端末は、
前記撮像カメラからの画像データを該コンピュータ端末に取込み前記編集・配信センターへ送信する撮影データ送信手段と、
結婚式場で撮影された画像データを基に前記編集・配信センターで編集・加工した動画データを受信する動画データ受信手段と、
前記編集・配信センターから受信した動画データを前記ビデオ映像投影装置によって再生し放映するための記録媒体に書込む動画データ書込手段と、を有し、
前記編集・配信センターは、
結婚式場で撮影され前記コンピュータ端末に取込まれた画像データを該コンピュータ端末から受信する撮影データ受信手段と、
受信した画像データに披露宴の参列者名、アニメーション等の予め用意した情報を付加し前記ビデオ映像投影装置によって放映するための動画データとして編集・加工する動画データ編集手段と、
編集・加工した動画データを前記コンピュータ端末に送信する動画データ送信手段と、を有することを特徴とする結婚式情報配信システム。
【請求項２】
前記コンピュータ端末の前記撮影データ送信手段は、
結婚式場内に配置された１台以上の撮像カメラにより撮影した画像データをデジタル動画データとして通信ネットワークを介して前記編集・配信センターに送信し、
前記編集・配信センターの動画データ編集手段は、
前記コンピュータ端末から送信された神前、教会式などの結婚式、披露宴、スピーチ及び結婚式用グッズなどのデジタル動画データを編集してストリーミングデータへ変換し、
前記動画データ送信手段は、
前記ストリーミングデータを予めデータベースに登録した所定の配信先へ通信ネットワークを介して配信することを特徴とする請求項１に記載の結婚式情報配信システム。
【請求項３】
前記編集・配信センターは、
結婚式の写真画像とメッセージを添えた結婚通知を電子メールにより結婚式の終了後所定時間内にリアルタイムに複数の通知先へ一括配信するためのメールサーバと、
前記電子メールの配信先を前記コンピュータ端末のＷｅｂブラウザ上で登録・編集するためのＷｅｂサーバと、
前記コンピュータ端末との間で編集に必要な結婚式に関する情報を送受信する際にファイル転送を管理するＦＴＰサーバと、
前記編集・配信に伴う種々の情報を管理するデータベースサーバと、からなるサーバシステムを備え、
前記サーバシステムと連携して機能する、
前記コンピュータ端末より入力した当事者の挙式プラン、結婚通知の通知先リスト及び配信メールの原稿等を受信してメール配信の予約を受け付け、結婚式当日に親戚・知人・友人に対し結婚通知を一括配信するためのメール配信先のメールアドレス・リストを配信先一覧として作成するメール配信先一覧作成手段と、
前記撮影データ受信手段により受信した前記コンピュータ端末からの画像データを電子メールに添付する写真データとして加工・作成するメール用写真データ作成手段と、
前記メール用の写真データ及び配信先一覧を基に、登録済みのメール原稿を参照して一括配信される電子メールを生成するメール生成手段と、
前記生成された電子メールを結婚式終了後、所定の制限時間内に配信が完了するように配信先に一括配信するメール配信手段と、を有することを特徴とする請求項１に記載の結婚式情報配信システム。
【請求項４】
前記編集・配信センターは、
前記予約を受付けたメール配信先の複数のユーザ端末から電子メール又はＷｅｂページを介して結婚当事者に対するメッセージを受付けデータベースに保存するメッセージ受付手段と、
結婚当事者毎のホームページを開設し、少なくとも前記撮像カメラにより結婚式場で撮影された結婚当事者の画像データ及び前記複数のユーザ端末からのメッセージを含む各種情報を前記データベースより取出してＷｅｂページを生成し通信ネットワーク上で公開するＷｅｂページ生成手段を有することを特徴とする請求項３に記載の結婚式情報配信システム。
【請求項５】
前記コンピュータ端末は、
前記編集・配信センターと通信ネットワークを介し各種情報を共有して前記メール配信先のユーザ毎のユニークなアクセスコードを生成し、該アクセスコード及び結婚当事者に対するメッセージ登録先の電子メールアドレス及び／又はＷｅｂページのＵＲＬが掲載された前記メール配信先のユーザ毎のメッセージカードを作成するメッセージカード作成手段を有することを特徴とする請求項４に記載の結婚式情報配信システム。
【請求項６】
前記編集・配信センターは、
前記メール配信先のユーザを対象にあらためてブライダルサービスの一環としてメールマガジン配信サービスを展開し会員として取込むための会員登録を推進する会員登録手段と、
前記電子メールの受信者がＷｅｂアクセスを行った際にメールマガジン入会案内のＷｅｂページを送信して勧誘を行い、ユーザ自身のメールアドレス付き返信メールを受け付けデータベースに会員情報の登録を行うメルマガ配信登録手段と、
前記データベースに登録されたメールアドレスに対し通信ネットワークを介して定期的にメールマガジンの配信及びクーポン券の配付サービスを行うメルマガ配信手段と、を有することを特徴とする請求項３に記載の結婚式情報配信システム。
【請求項７】
前記編集・配信センターは、
前記会員登録手段により登録した会員を対象として、携帯電話の各種待受け画像サービスと、スケジュールカレンダー、オリジナル時計等を提供する待受けアプリケーションサービス、各種の着信メロディを提供する着メロサービス、星占い、相性占いなどの占いを実施する占いサービス、会場にライブカメラを設置してイベントの様子を定期的に静止画により配信するＷｅｂカメラ・サービス、及び携帯ゲームを楽しむ携帯ゲームサービス等の各種の携帯電話を介したサービスを提供する携帯配信コンテンツサービス手段を有することを特徴とする請求項６に記載の結婚式情報配信システム。
【発明の詳細な説明】
【技術分野】
【０００１】
本発明は、結婚式場で撮影された画像データを通信ネットワークに接続されたセンター側で編集・加工を行い、結婚披露宴会場においてビデオ映像を放映するために披露宴終了直前迄に動画データとして処理し結婚式場へ配信するように構成した結婚式情報配信システムに関するものである。
【背景技術】
【０００２】
最近、ブライダル産業も急速に拡大して、結婚式に関する各種情報取得を主体とした特許出願が多く見られるようになってきている。例えば、特許文献１に開示の「結婚式シミュレーションシステム」はウェディングドレス等の結婚衣装の試着を、ネットワークを介してＰＣ画面上でシミュレーションできるものである。
また、特許文献２に開示の「ブライダル支援システム」は結婚式の諸行事、諸項目を汎用化し表計算ソフト等を導入して、短時間に効率良く結婚式の式次・予算等を把握して採否の判断が速くできるようにしたシステムである。
また、特許文献３に開示の「電子ブライダルシステム」は、インターネットを介して広域的、効率的に結婚式会場探しを実施する方法である。
また、特許文献４に開示の「結婚相談システムム」は、文字通り結婚相談所システムであり、結婚を希望する男女の顔写真を登録して紹介するシステムである。
また、特許文献５に開示の「結婚式の映像及び音声の配信システム」には、図１８に示すように、当日、結婚式場１０１の模様を音声マイク付き撮影カメラ１０２により撮影したアナログ映像をデータ送信装置１０３においてデジタル画像データに変換して配信装置１０４へ送信し、配信装置１０４により撮影データをＷｅｂ転送可能な形態で蓄積して各端末Ａ、Ｂなどの知人・友人たちが、予め、当人達から通知されているアクセスＩＤを使用してＷｅｂアクセスにより配信装置１０４へ接続し、配信装置１０４から当日の結婚式の模様を音声付きの映像により臨場感のある形式で観ることができるようにしたものがある。【０００３】
【特許文献１】特開２００３−７６８００号公報
【特許文献２】特開２００２−２４４３０号公報
【特許文献３】特開２００１−３４４３６５号公報
【特許文献４】特開２００１−２２２５８３号公報
【特許文献５】特開２００２−３５１４７６号公報（図１）
【発明の開示】
【発明が解決しようとする課題】
【０００４】
しかしながら、上記特許文献に記載のシステムの、特許文献１〜４はブライダル関連でも結婚式前の式場探しとか、予算、式次第といった結婚式の規模の決定といった結婚式以前の問題に関するものであって、結婚式当日の結婚通知の方法とは無関係のものである。
一方、特許文献５のシステムは結婚式の映像の配信システムではあるが、結婚式の模様を撮影した画像を配信装置へ蓄積しておいて、観たい人は観たい時にＷｅｂ上で検索して結婚式の映像を観るというものであって、結婚式の終了と同時にリアルタイムに当人達から一括通知の形で配信されるメールによる結婚通知のように、時間指定で制約された配信は不可能であって性格の異なる配信システムであるという問題があった。【０００５】
そこで、本発明は、結婚式場等で撮影した結婚式や披露宴の画像データを通信ネットワークに接続されたセンターに送信し、披露宴会場で放映するビデオ映像として編集・加工し、再び結婚式場へ配信する結婚式情報配信システムを提供することを目的としている。
また、披露宴の終了と同時にリアルタイムに当日の結婚写真付きメッセージの電子メールによる結婚通知を、予め登録された携帯電話等を配信対象として一括配信することにより、大事な結婚式後の挨拶を早めにスマートに一括して済ませることができる結婚式情報配信システムを提供することを目的としている。
また、結婚当事者に対するメッセージを携帯電話等から電子メール等で受付け、結婚式当日迄に集められたメッセージを披露宴の終了と同時にリアルタイムに結婚当事者専用のホームページに掲載する結婚式情報配信システムを提供することを目的としている。
【課題を解決するための手段】
【０００６】
上記目的を解決するために、請求項１に記載の発明は、結婚式場内で撮影した画像データを通信ネットワークに接続されたセンター側で所定時間内に編集・加工してリアルタイムに所定の配信先へ送信する結婚式情報配信システムであって、
結婚式場内に配置され結婚式及び／又は披露宴の模様を撮影する１台以上の撮像カメラと、結婚式場内に設置されたビデオ映像投影装置及びコンピュータ端末と、前記コンピュータ端末と通信ネットワークを介して接続し結婚式場で撮影された画像データを受信して編集・加工し配信する編集・配信センターと、を備え、
前記コンピュータ端末は、前記撮像カメラからの画像データを該コンピュータ端末に取込み前記編集・配信センターへ送信する撮影データ送信手段と、結婚式場で撮影された画像データを基に前記編集・配信センターで編集・加工した動画データを受信する動画データ受信手段と、前記編集・配信センターから受信した動画データを前記ビデオ映像投影装置によって再生し放映するための記録媒体に書込む動画データ書込手段と、を有し、
前記編集・配信センターは、結婚式場で撮影され前記コンピュータ端末に取込まれた画像データを該コンピュータ端末から受信する撮影データ受信手段と、受信した画像データに披露宴の参列者名、アニメーション等の予め用意した情報を付加し前記ビデオ映像投影装置によって放映するための動画データとして編集・加工する動画データ編集手段と、編集・加工した動画データを前記コンピュータ端末に送信する動画データ送信手段と、を有することを特徴としている。
また、請求項２に記載の前記コンピュータ端末の前記撮影データ送信手段は、結婚式場内に配置された１台以上の撮像カメラにより撮影した画像データをデジタル動画データとして通信ネットワークを介して前記編集・配信センターに送信し、
前記編集・配信センターの動画データ編集手段は、前記コンピュータ端末から送信された神前、教会式などの結婚式、披露宴、スピーチ及び結婚式用グッズなどのデジタル動画データを編集してストリーミングデータへ変換し、
前記動画データ送信手段は、前記ストリーミングデータを予めデータベースに登録した所定の配信先へ通信ネットワークを介して配信することを特徴としている。【０００７】
また、請求項３に記載の前記編集・配信センターは、結婚式の写真画像とメッセージを添えた結婚通知を電子メールにより結婚式の終了後所定時間内にリアルタイムに複数の通知先へ一括配信するためのメールサーバと、前記電子メールの配信先を前記コンピュータ端末のＷｅｂブラウザ上で登録・編集するためのＷｅｂサーバと、前記コンピュータ端末との間で編集に必要な結婚式に関する情報を送受信する際にファイル転送を管理するＦＴＰサーバと、前記編集・配信に伴う種々の情報を管理するデータベースサーバと、からなるサーバシステムを備え、
前記サーバシステムと連携して機能する、前記コンピュータ端末より入力した当事者の挙式プラン、結婚通知の通知先リスト及び配信メールの原稿等を受信してメール配信の予約を受け付け、結婚式当日に親戚・知人・友人に対し結婚通知を一括配信するためのメール配信先のメールアドレス・リストを配信先一覧として作成するメール配信先一覧作成手段と、前記撮影データ受信手段により受信した前記コンピュータ端末からの画像データを電子メールに添付する写真データとして加工・作成するメール用写真データ作成手段と、前記メール用の写真データ及び配信先一覧を基に、登録済みのメール原稿を参照して一括配信される電子メールを生成するメール生成手段と、前記生成された電子メールを結婚式終了後、所定の制限時間内に配信が完了するように配信先に一括配信するメール配信手段と、を備えたことを特徴としている。
また、請求項４に記載の前記編集・配信センターは、前記予約を受付けたメール配信先の複数のユーザ端末から電子メール又はＷｅｂページを介して結婚当事者に対するメッセージを受付けデータベースに保存するメッセージ受付手段と、結婚当事者毎のホームページを開設し、少なくとも前記撮像カメラにより結婚式場で撮影された結婚当事者の画像データ及び前記複数のユーザ端末からのメッセージを含む各種情報を前記データベースより取出してＷｅｂページを生成し通信ネットワーク上で公開するＷｅｂページ生成手段を有することを特徴としている。
また、請求項５に記載の前記コンピュータ端末は、前記編集・配信センターと通信ネットワークを介し各種情報を共有して前記メール配信先のユーザ毎のユニークなアクセスコードを生成し、該アクセスコード及び結婚当事者に対するメッセージ登録先の電子メールアドレス及び／又はＷｅｂページのＵＲＬが掲載された前記メール配信先のユーザ毎のメッセージカードを作成するメッセージカード作成手段を有することを特徴としている。【０００８】
また、請求項６に記載の前記編集・配信センターは、前記メール配信先のユーザを対象にあらためてブライダルサービスの一環としてメールマガジン配信サービスを展開し会員として取込むための会員登録を推進する会員登録手段と、前記電子メールの受信者がＷｅｂアクセスを行った際にメールマガジン入会案内のＷｅｂページを送信して勧誘を行い、ユーザ自身のメールアドレス付き返信メールを受け付けデータベースに会員情報の登録を行うメルマガ配信登録手段と、前記データベースに登録されたメールアドレスに対し通信ネットワークを介して定期的にメールマガジンの配信及びクーポン券の配付サービスを行うメルマガ配信手段と、を備えたことを特徴としている。
また、請求項７に記載の前記編集・配信センターは、前記会員登録手段により登録した会員を対象として、携帯電話の各種待受け画像サービスと、スケジュールカレンダー、オリジナル時計等を提供する待受けアプリケーションサービス、各種の着信メロディを提供する着メロサービス、星占い、相性占いなどの占いを実施する占いサービス、会場にライブカメラを設置してイベントの様子を定期的に静止画により配信するＷｅｂカメラ・サービス、及び携帯ゲームを楽しむ携帯ゲームサービス等の各種の携帯電話を介したサービスを提供する携帯配信コンテンツサービス手段を備えたことを特徴としている。
【発明の効果】
【０００９】
本発明によれば、結婚式の式場や披露宴会場、或いは待合室で撮影した参列者の画像データに、センター側で予め入力しておいた参列者データや予め用意しておいたアニメーションを付加し、ほぼリアルタイムに披露宴会場で放映するビデオ映像に編集・加工して、結婚式場に配信することができるので、披露宴で参列者が受ける印象を強いものにする効果がある。
また、結婚当事者のメッセージに結婚式の式場で撮影した写真等を添えてメールとして電子メールを作成し、結婚式終了直後にリアルタイムに一括して電子メールにより結婚通知を配信すると共に、披露宴終了直前迄に結婚当事者に対して寄せられたメッセージや写真等を結婚当事者専用のホームページに掲載することによって、通常、結婚式が終わって新婚旅行から帰ってきてから発送されていた結婚通知を結婚式直後に受け取ることや、ホームペー上で参照することができ、結婚の印象が新鮮で印象強く従来よりもスマートでより印象深い効果的な結婚通知を行うことができる。
【図面の簡単な説明】
【００１０】
【図１】本発明の実施の形態における結婚式情報配信システムの構成図である。
【図２】図１に示す結婚式場内撮影から放映迄の処理の流れ図である。
【図３】図１に示すメール配信の処理の流れ図である。
【図４】図１に示すメール配信予約の登録フォームを示す図である。
【図５】実施例２による結婚式場内放映の処理の流れ図である。
【図６】実施例２による動画データ配信の処理の流れ図である。
【図７】図１に示すお祝いメッセージの説明図である。
【図８】図７に示すお祝いメッセージの処理の流れ図である。
【図９】図１に示す二人専用ホームページの説明図である。
【図１０】図９に示す二人専用ホームページの処理の流れ図である。
【図１１】図１に示すメールマガジン配信の処理の流れ図である。
【図１２】図１に示すコンテンツサービスの待受けサービスの説明図である。
【図１３】図１に示すコンテンツサービスの着メロサービスの説明図である。
【図１４】図１に示すコンテンツサービスの待受けアプリの説明図である。
【図１５】図１に示すコンテンツサービスの携帯ゲームの説明図である。
【図１６】図１に示すコンテンツサービスの占いコーナーの説明図である。
【図１７】図１に示すコンテンツサービスのｗｅｂカメラの説明図である。
【図１８】従来の結婚式の映像音声配信システムの構成図である。
【符号の説明】
【００１１】
１    編集・配信センター
２    結婚式場（式場・宴会場）
３    ユーザ端末
４    通信ネットワーク
５    Ｗｅｂサーバ
６    メールサーバ
７    ＦＴＰサーバ
８    データベースサーバ
９    メール配信先一覧作成手段
１０    メール用写真データ作成手段
１１    メール生成手段
１２    メール配信手段
１３    メッセージ受付手段
１４    Ｗｅｂページ生成手段
１５    遠隔制御手段（サーバ）
１６    撮影データ受信手段
１７    動画データ編集手段
１８    動画データ送信手段
１９    メルマガ配信登録手段
２０    メルマガ配信手段
２１    携帯配信コンテンツサービス手段
２２    会員登録手段
２３    データベース
２４    会場内撮影手段
２５    会場内放映手段
２６    ＰＣ（パーソナルコンピュータ）
２７    撮影データ送信手段
２８    動画データ受信手段
２９    動画データ書込手段
３０    参列者データ入力手段
３１    メール配信予約手段
３２    メッセージカード作成手段
３３    遠隔制御手段（クライアント）
４０    新郎・新婦
４１    予約項目データ
４２    メールアドレス・リスト
４３    結婚式写真
４４    一括配信メール
４５    作業状況一覧画面
４６    作業状況監視・メール配信画面
４７    メールマガジン
４８    クーポン券
【発明を実施するための最良の形態】
【００１２】
以下、本発明について、図面を参照しながら説明する。
図１は、本実施の形態における結婚情報配信システムの構成図である。
図１において、１はシステムの編集・配信センターであって、Ｗｅｂサーバ、メールサーバ等のサーバシステムを運営し、結婚式場からの画像データ等を処理して全体の業務を統括する。
２は結婚式場であって、結婚式場や披露宴会場の模様を撮像カメラで撮影し、撮影した画像データを通信ネットワーク４に接続されたＰＣ（コンピュータ端末）２６を介して編集・配信センター１に送信し、編集・加工された動画データを受信しビデオ映像として披露宴会場内で放映する。３ａ〜３ｎは主に携帯電話からなる複数のユーザ端末Ａ〜Ｎであり、電子メール或いはストリーミングデータの配信先である。４は通信ネットワークであり、インターネットや携帯電話通信網等である。【００１３】
５は編集・配信センター１内のＷｅｂサーバであり、ＨＰ（ホームページ）の開設、Ｗｅｂページの生成及び通信管理等を行う。６はメールサーバであって電子メールの送受信を管理する。７はＦＴＰサーバでありファイル転送を管理する。８はデータベースサーバであり結婚式情報の編集・配信に伴う各種の情報を蓄積・保管するデータベースの管理を行う。
９はメール配信先一覧作成手段であって、ＰＣ２６から受信したメール配信先に関する情報を結婚式場毎、メールリストのグループ毎に整理してデータベースに登録すると共に一覧表（メールリスト）を作成する。１０はＰＣ２６から受信した画像データを電子メール用の写真に編集・加工するメール用写真データ作成手段である。１１はメール生成手段であり、写真データやメール・タイトル、メッセージ等のメールデータを編集した後、一括配信用の電子メールを生成する。１２はメール配信手段であって、グループ登録した複数の宛先に同文の電子メールを一括配信する。【００１４】
１３はメッセージ受付手段であり、結婚披露宴の参列者等から携帯電話のメール送信機能等により編集・配信センター宛に送信された結婚当事者へのメッセージを受信してデータベース２３に保存する。１４はＷｅｂページ生成手段であって、結婚当事者に寄せられたメッセージや、結婚式場内で撮影された写真や映像等を掲載する結婚当事者毎のＷｅｂページをＷｅｂサーバ５のサーバサイドプログラム（図示せず）によりデータベースサーバ８と連携して自動生成するもので、生成されたＷｅｂページはＷｅｂサーバ５を介してインターネット上で公開される。【００１５】
１５はサーバ側の遠隔制御手段であって、クライアント側の遠隔操作手段３３と連携し、ＰＣ２６側から編集・配信センター１側の所定の手段に直接アクセスすることを可能にして編集・配信センター１側の無人操作及びリアルタイム動作を実現する。１６は撮影データ受信手段であり、結婚式場内で撮影しＰＣ２６に取込んだ画像データを、通信ネットワーク４を介して受信する。１７は動画データ編集手段であり、予め結婚式場のＰＣ２６から参列者データを取込み、結婚式場内を撮影した画像にアニメーションやイラスト等を付加して編集・加工する。また、ＰＣ２６から受信したデジタル動画データをストリーミングデータに変換する。１８は動画データ送信手段であり、動画データ編集手段１７で編集・加工して作成した動画データを再び結婚式場２へ転送し、ビデオ映像として披露宴の最後に放映する【００１６】
１９はメルマガ配信登録手段であって、メール配信先のユーザを対象にあらためてブライダルサービスの一環としてサービスを展開するもので、Ｗｅｂを介してアクセスしてきた電子メールを受信したユーザを対象にしてメールマガジン配信希望者をデータベースに登録する。２０はメルマガ配信手段であり、データベースに登録された会員のメールアドレスに対し通信ネットワークを介し定期又は不定期にメールマガジンの配信を行う。特典として商品やサービスを割引するクーポンを発行する。
２１は携帯配信コンテンツサービス手段であって、登録会員を対象に待受け画像、スケジューラ、オリジナル時計、着信メロディ、占い、Ｗｅｂカメラ、ゲーム等の各種の携帯電話を介したサービスを提供する。２２は会員登録手段であり、メールマガジンや携帯電話用コンテンツを希望する配信対象者の会員情報をデータベースに登録する。【００１７】
２３はデータベースであって、登録者情報として結婚式場情報を主とするブライダルサービスや、メール配信後にメール配信先等をリピータとして勧誘する各種サービスの会員登録の会員データ等を格納する。またデータベース２３には、コンテンツとして結婚写真、式場での撮影写真、結婚式ムービー、編集・加工用のイラスト、アニメーション、及び結婚当事者へのメッセージを含むメールデータ等を格納する。【００１８】
結婚式場２内の２４は会場内撮影手段であって、式場や披露宴会場内を複数のデジタルカメラやビデオカメラ（撮像カメラ）で撮影した画像をＰＣ２６内の記憶装置（図示せず）にデジタル画像データとして保存する。２５は会場内放映手段であり、編集・配信センター１から送られた動画データをビデオ映像として映写機（ビデオ映像投影装置）を用い披露宴の最後に放映する。【００１９】
ＰＣ２６内の２７は撮影データ送信手段であって、会場内撮影手段２４で撮影しＰＣ２６に取込んだ結婚式の式場や披露宴会場の模様の画像データを、編集・配信センター１に通信ネットワーク４を介して送信する。２８は動画データ受信手段であり、編集・配信センター１で編集・加工し参列者データやイラスト、アニメーションを付加した動画データを受信する。２９は動画データ書込手段であり、会場内放映手段２５によって披露宴会場で放映するためのビデオ映像としてＤＶＤ（Ｄｉｇｉｔａｌ  Ｖｅｒｓａｔｉｌｅ  Ｄｉｓｃ）等の記録媒体（図示せず）に書込む。【００２０】
３０は参列者データ入力手段であり、予め結婚当事者から結婚式場或いは披露宴会場の参列者データを得てＰＣ２６に入力しＰＣ２６内の記憶装置（図示せず）に保存すると共に、編集・配信センター１に送信して編集・配信センター１内のデータベースに保存する。
３１は電子メールの配信先を登録するためのメール配信予約手段であって、結婚当事者から結婚式当日におけるメール配信のためのメールアドレス等を含む詳細データを受け付け契約・登録を行い、その情報を編集・配信センター１に送信して編集・配信センター１内のデータベース２３に保存する。
３２はメッセージカード作成手段であり、結婚当事者から入手したメール配信先のユーザ毎に、編集・配信センター１で生成するか又は編集・配信センター１と連携してＰＣ２６側で生成したユニークなアクセスコードを割当て、このアクセスコードと共に結婚当事者宛のメッセージ登録先の電子メールアドレスとＷｅｂページのＵＲＬ（Ｕｎｉｆｏｒｍ  Ｒｅｓｏｕｒｃｅ  Ｌｏｃａｔｏｒ）とを印刷したメッセージカードを作成する。作成されたメッセージカードは結婚式を申し込んだ結婚当事者にその場で渡されるか、或いは直接配送希望先に郵送される。
３３はクライアント側の遠隔制御手段であって、サーバ側の遠隔操作手段１５と連携し、編集・配信センター１側からＰＣ２６側の所定の手段に直接アクセスすることを可能にしてＰＣ２６側の無人操作及びリアルタイム動作を実現する。【００２１】
ここで、編集・配信センター１内のＷｅｂサーバ５、メールサーバ６、ＦＴＰサーバ７、データベースサーバ８、及び各手段９〜２２、ＰＣ２６内の各手段２７〜３３は、市販のパーソナルコンピュータやワークステーションに実装されたハードウェアや所定のプログラムの実行により動作するものであり、パーソナルコンピュータやワークステーションを構成するＣＰＵ（中央制御装置）、メモリやハードディスク、ＤＶＤ等の記憶装置、画像やテキスト等を表示する表示装置、キーボードやマウス等の入力装置、及び通信ネットワーク４との入出力装置や、他のプリンタやスピーカ等の外部接続装置等に関する説明及びその構成図面は省略する。また、編集・配信センター１内の管理者用端末を含むＬＡＮ（Ｌｏｃａｌ  Ａｒｅａ  Ｎｅｔｗｏｒｋ）接続構成等についても省略する。
【実施例１】
【００２２】
次に図２を参照し、結婚式場内の撮影から披露宴会場でのビデオ放映迄の処理について説明する。
結婚式場２やホテル等における結婚式、披露宴、待合室、ロビー等での参列者の模様を会場内撮影手段２４の複数箇所に配置したデジタルカメラ（撮像カメラ）で撮影し、ＵＳＢ（Ｕｎｉｖｅｒｓａｌ  Ｓｅｒｉａｌ  Ｂｕｓ）ケーブル等でデジタルカメラとＰＣ２６とを接続してＰＣ２６に画像転送し（Ｓ１０１）、撮影データ送信手段２７によって、撮影された画像データを編集・配信センター１へＦＴＴＨ（Ｆｉｂｅｒ  Ｔｏ  Ｔｈｅ  Ｈｏｍｅ）や高速ＡＤＳＬ（Ａｓｙｍｍｅｔｒｉｃ  Ｄｉｇｉｔａｌ  Ｓｕｂｓｃｒｉｂｅｒ  Ｌｉｎｅ）等のブロードバンド回線の通信ネットワーク４を介してＦＴＰ（Ｆｉｌｅ  Ｔｒａｎｓｆｅｒ  Ｐｒｏｔｏｃｏｌ）転送する（Ｓ１０２）。【００２３】
結婚式場２では、予め結婚当事者から結婚式や披露宴の参列者名等の参列者情報を、参列者データ入力手段３０でＰＣ２６に取込み、編集・配信センター１に転送してデータベースに保存しておく。
編集・配信センター１では、同様に予めデータベース２３に保存しておいたイラストやアニメーションを、データベースサーバ８を介して読込み、結婚式場２からＰＣ２６を介して送信される画像データに各種の効果を付加して動画データとして編集・加工するための合成用ベース動画や合成用動画エフェクトを作成しデータベース２３に保存しておく（Ｓ１０３）。これらの編集・加工には一般に市販されている各種の静止画像、動画像用の編集ソフトを用いることができる。【００２４】
ＦＴＰサーバ７を介し撮影データ受信手段１６で結婚式場２のＰＣ２６から画像データを受信した編集・配信センター１は、受信した画像データを撮影データ編集手段１７によって予め作成した合成用ベース動画や合成用動画エフェクトを用い、編集・合成等を行って参列者名がスクロールするいわゆるスタッフロールを付加したＭＰＥＧ２（Ｍｏｖｉｎｇ  Ｐｉｃｔｕｒｅｓ  Ｅｘｐｅｒｔｓ  Ｇｒｏｕｐ）等の動画データを作成する（Ｓ１０４）。編集・合成された動画データは、動画データ送信手段１８及びＦＴＰサーバ７を介したＦＴＰ転送によって再び結婚式場２のＰＣ２６に転送される（Ｓ１０５）。【００２５】
編集・配信センター１から転送された動画データは、結婚式場２のＰＣ２６の動画データ受信手段２８により受信し、編集・配信センター１からの遠隔制御により動画データ書込手段２９を起動し、放映用のＤＶＤに焼き込む（Ｓ１０６）。
編集・配信センター１にはサーバ側（又はホスト側）の遠隔制御手段１５が備えられ、またＰＣ２６内にはクライアント側の遠隔操作手段３３が組み込まれており、双方の遠隔制御手段が連携し、相互に遠隔操作が可能な機能を有している。遠隔制御用のソフトとしては市販のＰＣ用遠隔リモートソフトを使用することができる。またＤＶＤへの書込み（焼き込み）ソフトも市販のものを使用できる。
動画データ書込手段２９で作成された放映用ビデオ映像を記録したＤＶＤは、披露宴のお開き時等において、会場内放映手段２５のビデオ映像投影装置（プロジェクター等）で再生され放映される。【００２６】
次に図３を参照し、結婚通知メール配信の処理について説明する。
先ず、新郎・新婦４０は編集・配信センター１と結婚通知メール配信の予約契約を行う。予約の方法は、例えば、２つの方法が考えられる。１つは予め編集・配信センター１に登録されている結婚式場等のサービス会員の会員登録を済ませ、ＩＤ、パスワードを保有している場合で、この場合は、Ｗｅｂページを介してＩＤ、パスワードを入力し認証後に表示される図４に示すような新規登録画面４１に、メールのタイトルと結婚当事者からのメッセージ、メールアドレスのリスト…、等の必要事項を記入して「登録」ボタンを押して登録を完了、予約手続きを終了する。【００２７】
一方、新郎・新婦４０等の結婚当事者が結婚式場２を訪れて予約するケースでは、結婚式場内２のＰＣ（コンピュータ端末）２６のメール配信予約手段３１（結婚式場内の受付用コンピュータ等による）は、ＰＣ−携帯電話間のデータ編集・保存・転送機能を使用して、新郎・新婦４０の携帯電話とＰＣ２６とをＵＳＢケーブル或いは専用ケーブルで接続し、図３に示したようなメールアドレス・リスト等のメール配信予約項目データを取込む（ステップ２００、以降Ｓ２００と略す）。ＰＣ−携帯電話間のデータ編集・保存・転送機能は一般に市販されているソフトを利用することができる。
メール配信予約項目データを取込んだメール配信予約手段３１は、携帯電話から取込んだデータからメールアドレス・リスト４２ａを生成し、ＰＣ２６の画面上に表示出力するか或いは印刷出力して結婚当事者４０のチェックを受け、削除・変更・追加等の編集によりメール配信希望先のみの一括配信用のメールアドレス・リスト４２ｂを作成する（Ｓ２０１）。ＰＣ−携帯電話間のデータ編集・保存・転送機能を使用して取込んだデータを一旦編集・配信センターへ送信し、上述のＷｅｂページによって一覧表示しチェック・編集するようにしてもよい。また、後述するように、この時メール配信先に指定されたユーザ毎に、電子メールアドレスやＷｅｂページのＵＲＬ等によるメッセージ登録先とアクセスコードとが記載されたメッセージカードを作成し、結婚当事者にその場で渡すか、或いは登録ユーザに直接郵送し、結婚披露宴参列者等からのお祝いメッセージをインターネット上で受付けるようにする。【００２８】
次に、結婚式当日に、結婚式場内各所のデジタルカメラ等で撮影（会場内撮影手段２４）された結婚写真４３をＰＣ２６の撮影データ送信手段２７及び通信ネットワーク４を介して編集・配信センター１に転送し（Ｓ２０２）、編集・配信センター１は、撮影データ受信手段１６により結婚式場で撮影された写真データ４３の数々を受信する（Ｓ２０３）。
メール配信予約手段３１により、予めメールアドレス・リスト４２ｂに示したメール配信先データを結婚式場２からＰＣ２６及びＡＤＳＬ回線等の通信ネットワーク４を介して編集・配信センター１へ転送し、結婚式場毎及びメールの一括配信先グループ毎に区分けしてデータベースに保存しておき、また、メール配信予約受付け時に結婚当事者より入手しているメールのメッセージ４４の内容も転送しておく。メール配信予約手段３１で得られた情報は結婚式当日に撮影された写真と共に編集・配信センター１へ送信するようにしてもよい（Ｓ２０３）。
また、これらの写真データ４３、メールアドレス４２ｂ、及び４１に示す結婚当事者からのメッセージやユーザから寄せられたお祝いメッセージはコンテンツとして、また会員情報は登録者情報としてデータベース２３に保存される。【００２９】
撮影データ受信手段１６で受信した結婚式場の写真データ４３は、メール用写真データ作成手段１０によってメール送信に適当なサイズのＪＰＥＧ（Ｊｏｉｎｔ  Ｐｈｏｔｏｇｒａｐｈｉｃ  Ｅｘｐｅｒｔｓ  Ｇｒｏｕｐ）データ等に編集・加工される。メール生成手段１１は、メール用写真データ作成手段１０によって編集・加工された写真データ４３、メールアドレス・リスト４２ｂ、及び４１に示すメッセージをデータベースサーバ８によってデータベース２３から読出し、一括配信用の写真付きメール４４を生成する（なお、写真は、予め予約時に提出済みの写真を使用する場合もある）。【００３０】
また、メール生成手段１１は、図３に示すようなＷｅｂページを介したメール配信担当者或いは管理者の操作端末（図１では図示せず）による編集手段も提供する。
メール用写真データ４３、メールアドレス４２ｂ、及び４１に示す結婚当事者からのメッセージが揃い一括配信用の電子メールが自動生成されると編集・配信センター１から電子メールによる通知が送られる。メール配信担当者或いは管理者の操作端末は、電子メールの通知を受けてメール編集用のＷｅｂページにアクセスしてＰＣ２６のＷｅｂブラウザ上（図示せず）で編集し、作業状況一覧画面４５に状況登録表示を行う（Ｓ２０４）。また、図３に示すようにメール配信担当者或いは管理者の操作端末のエディタ等で直接ＨＴＭＬ（Ｈｙｐｅｒ  Ｔｅｘｔ  Ｍａｒｋｕｐ  Ｌａｎｇｕａｇｅ）メールを制作してアップロードするようにしてもよい。【００３１】
編集・配信センター１のメール配信手段１２は、一括配信用メール４４の完成状況を、データベースの同一フィールドを参照することで作業状況一覧画面４５と同期している作業状況監視及びメール配信画面４６として提供し、一括配信用メール４４が完成するとメール配信担当者或いは管理者の操作端末に表示されたＷｅｂページ上の送信ボタン操作によって、メール配信手段１２及びメールサーバ６を介して先に登録したグループ宛先へ一括配信し、配信先グループのユーザ端末３ａ〜３ｎに送信する（Ｓ２０５）。
【実施例２】
【００３２】
次に実施例２として、先のデジタルカメラによる静止画像に代わり、ビデオカメラによる動画像データを基にした結婚式の動画ムービーの配信サービスについて説明する。
動画ムービー配信サービスでは、先ず、当日結婚式場２において会場内撮影手段２４により、結婚式或いは披露宴の模様をビデオカメラ（撮像カメラ）で撮像してデジタル動画データとしてＰＣ２６に取り込み、ＰＣ２６に取込んだデジタル動画データを編集・配信センター１にＦＴＴＨやＡＤＳＬ等のブロードバンドを介して転送し、撮影データ受信手段１６で受信して動画データ編集手段１７により各種効果を付加して編集・加工する。
編集加工されたデジタル動画データは動画データ送信手段１８によってＦＴＴＨやＡＤＳＬ等のブロードバンドを介して結婚式場２に転送され、結婚式場２ではＰＣ２６の動画データ受信手段２８で受信したデジタル動画データをビデオ編集ルームでＤＶＤやビデオテープ等の記録媒体に記録して会場内放映手段２５のビデオ映像投影装置（プロジェクター等）によって披露宴会場等でビデオ映像を再生し放映する。【００３３】
先ず、会場内放映手段２５の処理については、結婚式場２内で撮像されたビデオ動画データを編集・配信センター１で各種効果を付加して編集・加工し、ＭＰＥＧ２形式等に圧縮された映像コンテンツを、図５の映像データ処理のフロー図に示すように、ＡＤＳＬ回線を介して編集ルーム内のＰＣ２６（図示せず）へ転送し（Ｓ４０１）、ルータを介して取込んだ映像コンテンツをＮＴＳＣデコーダによりテレビ信号に変換してＤＶＤ、ビデオテープ等の記録媒体に記録し（Ｓ４０２）、披露宴会場等でプロジェクターにより上映する（Ｓ４０３）。また、記録されたＤＶＤ、ビデオテープは希望者に配付される。【００３４】
次に、ストリーミングデータの配信処理については、図６のフロー図に示すように、ビデオカメラで撮像した結婚式の模様のビデオ映像データをデジタルデータに変換し（Ｓ５０１）、ＦＴＴＨ或いはＡＤＳＬ回線を介してファイル転送用サーバ（ＦＴＰサーバ７）を介してファイル転送を行い（Ｓ５０２）、編集・配信センター１内のＬＡＮ接続された管理者用端末（図１では図示せず）にデジタル映像データをダウンロードして（Ｓ５０３）ストリーミングデータへの変換を行い、編集・配信センター１内のストリーミングサーバ（図１では図示せず）へアップロードして（Ｓ５０４）、ＦＴＴＨ回線等を介してインターネット４上でユーザ３へ配信する（Ｓ５０５）。この場合ストリーミング信号に変換されているので、ユーザ３は受信終了を待たずに、データを受信しながら表示することができる。
また、データ形式をＭＰＥＧ４等に変換して対応する携帯機器宛てに配信することも可能なので、その場合、希望先には動画データを添付した電子メール配信等も可能となる。【００３５】
ここで、再び実施例１の機能として、結婚式や披露宴の参列者等のユーザから結婚当事者へのお祝いメッセージを募り、寄せられたメッセージを結婚当事者毎に開設された専用のホームページに、結婚式場で撮影された写真やビデオ映像と共に掲載する迄の動作について図７〜図１０を参照して詳述する。
図７示すお祝いメッセージ（「はっぴぃメール」、携帯電話からのメッセージは「ケータイ寄書きメール」と称する）のしくみと、図８に示すその流れについて説明すると、先ず前述したように、結婚式場２で結婚当事者から結婚式や披露宴等に必要な情報を取得し、編集・配信センターに登録された情報を基に専用のホームページを開設する（実際にはこの時点ではＵＲＬ及びＷｅｂページの雛形のみを作成しておく）（Ｓ６０１−１）。
このとき結婚式場２では、結婚当事者から得られた披露宴出席者等のユーザ毎のメッセージカードを作成する。ユーザにはユニークなアクセスコードが割当てられ、このアクセスコードと共にお祝いメッセージ送信先の電子メールアドレスやメッセージ登録用のアクセス先ＵＲＬを印刷してメッセージカードを作成する。作成されたメッセージカードは結婚当事者に渡されるか、あるいは希望によりユーザに郵送される（Ｓ６０１−２）。
アクセスコードは結婚式場２のＰＣ２６からのアクセスにより編集・配信センター１で生成し、それを受信する構成でも、或いは編集・配信センターが発行するキーワードを基に生成するように構成してもよいが、いずれの場合も、ＰＣ２６内のアクセスコードと編集・配信センター１内のアクセスコードが対応するようにしておき、どのユーザからのメッセージであるかがわかるようにしておく。アクセスコードは編集・配信センター１におけるユーザ認証コードとして機能する。【００３６】
編集・配信センター１におけるメッセージの受信は、メールサーバ６を介して受信する電子メールの他にも、Ｗｅｂページ上で電子メールを扱ういわゆるＷｅｂメールを用いたものでもよく、或いはお祝いメッセージ登録用のＷｅｂページからメッセージデータを収集するように構成してもよいし、結婚当事者専用のホームページに直接アクセスして、掲示板やブログ（ｂｌｏｇ）等の形態で掲載するようにしてもよい。
結婚当事者の友人等のユーザは、届いたメッセージカードに記載されたメッセージ送信先或いは登録先を参照して、お祝いメッセージを送信する。携帯電話を用いた場合（「ケータイ寄書きメール」）は披露宴が終了する直前迄受付可能とする。携帯電話の場合の例としては、図８に示すように、お祝いメッセージを送ろうとするユーザがメッセージカードに記載されたＵＲＬにアクセスすると、編集・配信センター１のＷｅｂサーバ５の応答により「はっぴぃメッセージ」登録画面のＷｅｂページが表示され、アクセスナンバーの入力を促す。ユーザはメッセージカードに記載されているアクセスナンバーを入力してユーザ認証を得る。ユーザ認証により登録ユーザであることが確認されると、Ｗｅｂサーバ５は名前と電子メールアドレスの入力後、結婚当事者へのメッセージ入力画面を送信する。ユーザがお祝いメッセージを入力し「送信」ボタンのクリックにより編集・配信センター１にこのメッセージが送信される。このようにしてユーザが送信したお祝いメッセージは編集・配信センター１のデータベース２３に保存され、結婚当事者専用のホームページ用データとして登録される（Ｓ６０２）。【００３７】
また、結婚式場内で撮影された（Ｓ６０３）写真やビデオ映像等の画像データはＰＣ２６に取込まれ（Ｓ６０４）、編集・配信センター１に転送されて（Ｓ６０５）、データベース２３に保存される。結婚披露宴が終了すると、編集・配信センターは、ユーザの携帯電話等の発信元アドレス宛てに、前述したように結婚報告メールを送信する（Ｓ６０６）。また、結婚当事者専用として開設したＷｅｂページに、これらの写真やビデオ映像、及び友人等から寄せられたお祝いメッセージを、結婚当事者のプロフィールと共に掲載する（Ｓ６０７）。お祝いメッセージや画像データは一旦データベース２３に保存され、Ｗｅｂサーバ５はＣＧＩ（Ｃｏｍｍｏｎ  Ｇａｔｅｗａｙ  Ｉｎｔｅｒｆａｃｅ）等のサーバサイドプログラムによりデータベースサーバ８と連携し、ＳＱＬ（Ｓｔｒｕｃｔｕｒｅｄ  Ｑｕｅｒｙ  Ｌａｎｇｕａｇｅ）等により必要なデータを取出しＷｅｂページを自動生成し、インターネット上に公開する。【００３８】
図９、図１０は、結婚当事者専用のホームページの作成に着目してそのしくみとその流れについて説明したもので、図７、図８で説明したように結婚式場で契約が成立すると、編集・配信センター１に結婚当事者専用のホームページ（「ＭｙＳｗｅｅｔＨｏｍｅ」と称する）を開設し（Ｓ６０１−１ａ）、そのＷｅｂページに掲載する各種情報を、図４の４１に示したようなＷｅｂフォームを用いてＰＣ２６から各項目の内容を入力し編集・配信センター１のデータベースに登録する（Ｓ６０１−１ｂ）。ホームページの開設は挙式２ヶ月前より受付ける。ホームページの開設と共に、披露宴出席者等からお祝いメッセージを募るためのアクセス先が掲載されたメッセージカードを作成する。メッセージカードは前述したように契約段階で渡すことも可能であるが、結婚式当日に渡すことも可能である（Ｓ６０１−２）。但しこの場合は携帯電話から寄せられたお祝いメッセージ（「ケータイ寄書きメール」）になるが、披露宴のお開き直前迄の受付が可能になる。結婚式当日に友人等に渡されるメッセージカードには、結婚当事者からのメッセージと共に寄せられたお祝いメッセージや写真、ビデオ映像、結婚当事者のプロフィール等が掲載される結婚当事者専用のＵＲＬが掲載されている。【００３９】
Ｓ６０３−Ｓ６０７の流れは、図７、図８で説明した通りで、結婚式場、披露宴会場等で挙式当日撮影された（Ｓ６０３）新郎新婦の写真やビデオ映像データが結婚式場２のＰＣ（「ＣｌｉｍｂＳｔａｔｉｏｎ」と称する）２６に取込まれ（Ｓ６０４）、編集・配信センター（「クリエイトセンター」と称する）へ転送される（Ｓ６０５）。転送された写真（２００カットを掲載する）や映像データは、寄せられたお祝いメッセージと共に少なくとも披露宴終了２時間後迄に結婚当事者のホームページに掲載されインターネット上に公開される（Ｓ６０７）。【００４０】
次に、前述の一括配信メール４４の配信先や、編集・配信センター１に登録されている結婚式場のブライダルサービス等にＷｅｂアクセスしたユーザを、将来の結婚通知メール利用者の予備軍或いはリピータとして囲い込み定着を図るための各種のサービスを提供するブライダル会員システムについて説明する。
メールマガジン配信システムは、図１に示すように、編集・配信センター１内において、一括配信メール４４の配信先等のＷｅｂアクセス客を勧誘し登録するメルマガ配信登録手段１９と、登録者情報としてデータベース２３に登録された会員のメールマガジン配信先のアドレスに対してメールマガジンを送信するメルマガ配信手段２０により構成されている。【００４１】
図１１は、メールマガジン配信の処理のフローであり、例えば、一括配信メール４４を受け取ったユーザ３が、更に詳細な結婚式の映像や結婚当事者情報を求めたり、或いはその他のサービス情報を求めたりして編集・配信センター１にＷｅｂアクセスしてきた場合等に、ユーザ自身のメールアドレスを付した電子メールの返信を求めてデータベース２３にメールマガジン会員として登録し（Ｓ３０１）、メールサーバ６を介して登録確認の電子メールをユーザ３のメールアドレス宛に通知する（Ｓ３０２）。
メルマガ配信手段２０は、メールマガジン管理画面に示すようなメールマガジン４７を作成してブライダル情報、宿泊、グルメ情報や、クーポン券４８等の添付も行い（Ｓ３０３）、データベース２３に登録された会員のメールアドレスを参照して一斉配信する（Ｓ３０４）。なお、この場合、クーポン券４８の画像データについては、待受け画面の一つとして登録するか、ブックマークに記憶し呼出して表示し使用できるようにする。【００４２】
次に、会員に提供される各種のサービスについて説明する。
図１に示される、携帯配信コンテンツサービス手段２１は、携帯電話３を対象に待受け画面、着信メロディ等の各種携帯配信コンテンツサービスを行う。
図１２の、待受け画面サービスの説明図を参照して説明する。先ず、編集・配信センター１からＷｅｂ等を介して提供されるサービスの一つである待受け画面サイトのメニューページを開いて、その中から気に入った画像（図１２の例では、キューピー）を選択して画像を表示させ、待受け画像の設定方法に従って携帯電話３に新たな待受け画像を登録する。このようにオリジナルキャラクターの待受け画面を提供することや、その他、待受け設定を利用して優待サービス（クーポン）券を登録するクーポン券サービスや、季節・イベント等に合わせた待受け画面の絵柄のサービス、機種によってはムービー／アニメーション画面の提供サービスも可能である。【００４３】
図１３は、着メロ（着信メロディの略）サービスの説明図であり、編集・配信センター１より提供される着メロメニューページを開いて所望の着信メロディを選択し、ダウンロードして試聴し、携帯電話３に登録することで新たな着信メロディを使用できる。着信メロディコンテンツとしては例えば、結婚式場オリジナルソング、他のブライダルソング、その他等が提供される。【００４４】
次に、Ｊａｖａ（登録商標）アプリ（アプリケーションの略）対応携帯電話による提供サービスの拡大について説明する。
図１４は、待受けアプリの説明図であり、Ｊａｖａ（登録商標）アプリ対応機種の場合は、コンテンツだけでなく、それを処理するＪａｖａ（登録商標）アプリ・プログラムもダウンロードできるので、それ以後はＪａｖａ（登録商標）情報のみを編集・配信センター１から配信すればよい。携帯電話３側単独で表示処理できることから、図１４に示すように、ダウンロード利用方法に従って待機画面にＪａｖａ（登録商標）アプリのコンテンツとプログラムとをダウンロードすることで、例えば日付を選択するとスケジュールを表示させるスケジュールカレンダー、六曜日カレンダーやオリジナル時計（アナログ表示が可能）等の表示サービスを提供することができる。
また、ユーザは待受け画面のイメージキャラクターを変更することや、自分の携帯電話３のカメラで撮影した画像等の登録も自由に行うことができるようになる。【００４５】
図１５は、携帯ゲームサービスの説明図であり、図１５に示すように、メニューページからＪａｖａ（登録商標）アプリ・ゲームをダウンロードして、編集・配信センター１で提供されるグループ操作機能（図示せず）により対戦相手との携帯電話ゲームも可能になる。例えば、ミニゲームとしてスライドパズル、オセロ、トランプやオリジナルゲーム等があり、Ｊａｖａ（登録商標）データのみの伝送で携帯電話３側における表示処理が可能になっているのでスピーディーな対戦ゲームを楽しめる。その他、クイズに答えるとプレゼントが当たる等のゲームも可能である。【００４６】
図１６は、占いコーナーの説明図であり、図１６に示すように、占いコーナーのサービスにおいても、メニューページから占いコーナーに登録加入すると、星占い、相性占い、血液型占い、心理テスト、おみくじ等のサービスが編集・配信センター１から、毎日或いは毎週毎にメールで配信される。例えば、占いコンテンツにアクセスするとサーバ側（編集・配信センター１）と携帯電話３側のＪａｖａ（登録商標）アプリ処理により前回の続きを継続して読めるようなサービスが可能となる。更に、カレンダー機能によりカレンダーの日付をクリックして、その日の運勢を表示するサービス等も可能になる。【００４７】
図１７はＷｅｂカメラ・サービスの説明図であり、図１７に示すように、メニューページからユーザがＬｉｖｅ中継入り口を選択してＬｉｖｅ中継画面を表示することで、例えば、結婚式やその他のイベント、スポーツ会場等に設置したＬｉｖｅカメラにより会場内の様子を静止画によりｌｉｖｅ中継するサービス等ができる。例えば、編集・配信センター１が会場からＬｉｖｅカメラの画像を１分間隔（時間間隔は自由である）で撮影画像をリロードして取込み、静止画の画像データを少ないデータの伝送量でユーザに配信サービスすることができる。
【産業上の利用可能性】
【００４８】
上述した実施形態に示したように、本発明による結婚式情報配信システムによれば、携帯配信コンテンツサービスの会員ユーザには各種のサービス提供が可能になり、結婚写真としても静止画だけではなくシネマウェディングとして動画撮像も行われるので、結婚式のムービーを観ることが可能になると共に、ユーザ端末の種類によっては結婚通知として配信されるメールに動画データを添付することも可能になる。
さらに、電子メールの配信先等からＷｅｂアクセスがあったような場合は、ブライダルシステムの会員登録を行ってメールマガジン配信や、各種のサービスを提供することによって、将来の結婚通知メールの予約客として、またリピータとして取り込むことができるようになる。
このようなサービス内容は以上説明した例に限定されるものではなく、類似の各種サービスも含まれることは勿論である。
【図１】
2005062221.tif 000002
【図２】
2005062221.tif 000003
【図３】
2005062221.tif 000004
【図４】
2005062221.tif 000005
【図５】
2005062221.tif 000006
【図６】
2005062221.tif 000007
【図７】
2005062221.tif 000008
【図８】
2005062221.tif 000009
【図９】
2005062221.tif 000010
【図１０】
2005062221.tif 000011
【図１１】
2005062221.tif 000012
【図１２】
2005062221.tif 000013
【図１３】
2005062221.tif 000014
【図１４】
2005062221.tif 000015
【図１５】
2005062221.tif 000016
【図１６】
2005062221.tif 000017
【図１７】
2005062221.tif 000018
【図１８】
2005062221.tif 000019
【国際調査報告】
2005062221.tif 000020
2005062221.tif 000021
2005062221.tif 000022
2005062221.tif 000023